(57)【要約】【課題】主に自動車の音響や空調機器等の操作に用いられるスイッチ装置に関し、多様な照光が可能なものを提供することを目的とする。【解決手段】操作体７の透光部７Ａとこの下面の所定形状の切抜部７Ｅを設けた不透光部７Ｄの間に、上面に凹凸部７Ｃが形成された透光性の拡散部７Ｂを設けることによって、周囲が明るく発光素子５が消灯している状態では表示が見えづらく、周囲が暗く発光素子５が発光している場合にのみ表示を明確に視認できる、多様な照光が可能なスイッチ装置を得ることができる。【選択図】図１
2005347193.tif 000002
【特許請求の範囲】
【請求項１】
略箱状の透光部の下面に所定形状の不透光部、または所定形状の切抜部を設けた不透光部が形成された操作体と、この操作体の移動によって電気的接離を行うスイッチ接点と、上記操作体を下面から照光する発光素子からなり、上記操作体の透光部と不透光部の間に、上面に凹凸部が形成された透光性の拡散部を設けたスイッチ装置。
【発明の詳細な説明】
【技術分野】
【０００１】
本発明は、主に自動車の音響や空調機器等の操作に用いられるスイッチ装置に関するものである。
【背景技術】
【０００２】
近年、車室内のフロントパネル部に、様々な操作体を備えた照光式のスイッチ装置を配置し、これらによってオーディオやエアコン等の各種電子機器の操作を行うものが増えている。
【０００３】
このような従来のスイッチ装置について、図４を用いて説明する。
【０００４】
図４は従来のスイッチ装置の断面図であり、同図において、１は絶縁樹脂製のケース、２は同じく絶縁樹脂製の操作体で、ケース１には上方へ突出する中空筒部１Ａが設けられ、この中空筒部１Ａに操作体２が上下動可能に装着されている。
【０００５】
そして、操作体２は略箱状で透明や明色等の透光部２Ａと、この透光部２Ａの下面を覆う黒色等の不透光部２Ｂから形成されると共に、不透光部２Ｂの中央には文字や記号、絵柄等の所定形状の切抜部２Ｃが設けられている。
【０００６】
また、３は上下面に複数の導電パターン（図示せず）が形成された配線基板で、上面にはプッシュスイッチ４が実装され、このプッシュスイッチ４の操作部４Ａに、操作体２下面から下方へ突出した押圧部２Ｄが当接している。
【０００７】
さらに、このプッシュスイッチ４側方には、発光ダイオード等の発光素子５が設けられ、これらプッシュスイッチ４や発光素子５が実装された配線基板３上面を、ケース１が覆ってスイッチ装置が構成されている。
【０００８】
そして、このようなスイッチ装置は、車室内のフロントパネル部に装着され、プッシュスイッチ４や発光素子５等が配線基板３を介して、オーディオやエアコン等の各種電子機器や、自動車の電子回路（図示せず）に電気的に接続される。
【０００９】
以上の構成において、操作体２を下方へ押圧操作すると、押圧部２Ｄが操作部４Ａを押圧して、プッシュスイッチ４が電気的に動作し、例えば、オーディオの音量やエアコンの温度等の切換えが行われる。
【００１０】
また、夜間等の周囲が暗い場合には、発光素子５が発光し、この光が操作体２を下面から照光し、不透光部２Ｂの文字や記号、絵柄等の形状の切抜部２Ｃを通過した光が透光部２Ａを照光するため、周囲が暗い場合でも、操作体２上面の表示や位置確認が可能となり、操作体２の識別や操作を容易に行うことができる。
【００１１】
なお、発光素子５が消灯している場合には、不透光部２Ｂの切抜部２Ｃの文字や記号、絵柄等の表示は、透光部２Ａの下面にあるため見えづらくなっている。
【００１２】
つまり、発光素子５が消灯している場合には、操作体２上面の表示は見えづらく、周囲が暗く発光素子５が発光している場合には、操作体２の表示が照光され明確に視認できるように構成されているものであった。
【００１３】
なお、この出願の発明に関連する先行技術文献情報としては、例えば、特許文献１が知られている。
【特許文献１】特開２００１−２８３６７３号公報
【発明の開示】
【発明が解決しようとする課題】
【００１４】
しかしながら、上記従来のスイッチ装置においては、操作体２の透光部２Ａを透明や明色等とした場合、発光素子５が消灯し太陽光の下等で、特に周囲が明るい状態では、切抜部２Ｃの文字や記号、絵柄等の表示が、透光部２Ａを通して見え易くなってしまうという課題があった。
【００１５】
本発明は、このような従来の課題を解決するものであり、周囲が明るい状態では操作体２の表示が見えづらく、周囲が暗く発光素子５が発光している場合にのみ表示を明確に視認できる、多様な照光が可能なスイッチ装置を提供することを目的とする。
【課題を解決するための手段】
【００１６】
上記目的を達成するために本発明は、操作体の透光部とこの下面の所定形状の不透光部、または所定形状の切抜部を設けた不透光部の間に、上面に凹凸部が形成された透光性の拡散部を設けて、スイッチ装置を構成したものであり、周囲が明るく発光素子が消灯した状態では、太陽光等の外部光が拡散部の凹凸部で反射して、この下面の不透光部や切抜部が見えづらくなるため、周囲が明るい状態では表示が見えづらく、周囲が暗く発光素子が発光している場合にのみ表示を明確に視認できる、多様な照光が可能なスイッチ装置を得ることができるという作用を有する。
【発明の効果】
【００１７】
以上のように本発明によれば、周囲が明るい状態では表示の見えづらい、多様な照光が可能なスイッチ装置を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるスイッチ装置の断面図、図２は同部分断面斜視図であり、同図において、１はＡＢＳやポリオキシメチレン等の絶縁樹脂製のケース、７は絶縁樹脂製の操作体で、ケース１には上方へ突出する中空筒部１Ａが設けられ、この中空筒部１Ａに操作体７が上下動可能に装着されている。
【００２１】
また、７Ａはアクリルやポリカーボネート等の絶縁樹脂製で、透明や明色等の略箱状の透光部、７ＢはＡＢＳやポリブチレンテレフタレート等の絶縁樹脂製で透光性の拡散部で、拡散部７Ｂの上面には５０μｍ前後の大きさで鋸歯状の凹凸部７Ｃが形成されている。
【００２２】
さらに、この拡散部７Ｂの下面全面には、黒色等のインクを塗装または二色成形等によって不透光部７Ｄが形成されると共に、不透光部７Ｄの中央には、レーザ加工等によって、文字や記号、絵柄等の所定形状の切抜部７Ｅが設けられている。
【００２３】
つまり、透明や明色等の透光部７Ａと黒色等の不透光部７Ｄの間に、上面に凹凸部７Ｃが形成された透光性の拡散部７Ｂを設けて、操作体７が形成されている。
【００２４】
また、３は紙フェノールやガラス入りエポキシ等の配線基板で、この上下面には銅箔等によって複数の導電パターン（図示せず）が形成されると共に、上面にはプッシュスイッチ４が実装され、このプッシュスイッチ４の操作部４Ａに、操作体７下面から下方へ突出した押圧部７Ｆが当接している。
【００２５】
さらに、このプッシュスイッチ４側方には、発光ダイオード等の発光素子５が設けられ、これらプッシュスイッチ４や発光素子５が実装された配線基板３上面を、ケース１が覆ってスイッチ装置が構成されている。
【００２６】
そして、このようなスイッチ装置は、車室内のフロントパネル部に装着され、プッシュスイッチ４や発光素子５等が配線基板３を介して、オーディオやエアコン等の各種電子機器や、自動車の電子回路（図示せず）に電気的に接続される。
【００２７】
以上の構成において、操作体７を下方へ押圧操作すると、押圧部７Ｆが操作部４Ａを押圧して、プッシュスイッチ４が電気的に動作し、例えば、オーディオの音量やエアコンの温度等の切換えが行われる。
【００２８】
また、夜間等の周囲が暗い場合には、発光素子５が発光し、この光が操作体７を下面から照光し、不透光部７Ｄの文字や記号、絵柄等の形状の切抜部７Ｅを通過した光が、拡散部７Ｂを通って透光部７Ａを照光するため、周囲が暗い場合でも、操作体７上面の表示や位置確認が可能となり、操作体７の識別や操作を容易に行うことができる。
【００２９】
なお、このスイッチ装置を、発光素子５が消灯した状態で太陽光の下等、特に周囲が明るい状態で使用した場合には、透光部７Ａから入射した太陽光等の外部光が、拡散部７Ｂ上面の鋸歯状の凹凸部７Ｃで反射するため、この下面の不透光部７Ｄや、切抜部７Ｅの文字や記号、絵柄等の表示は見えづらいようになっている。
【００３０】
つまり、周囲が明るく発光素子５が消灯している場合には、上方からの外部光等は拡散部７Ｂ上面の凹凸部７Ｃで反射して、操作体７下面の表示は見えず、周囲が暗く発光素子５が発光している場合には、下方から切抜部７Ｅを通過した光が、下面は平坦な拡散部７Ｂを通って透光部７Ａを照光して、操作体７の表示が明確に視認できるように構成されている。
【００３１】
このように本実施の形態によれば、操作体７の透光部７Ａとこの下面の所定形状の切抜部７Ｅを設けた不透光部７Ｄの間に、上面に凹凸部７Ｃが形成された透光性の拡散部７Ｂを設けることによって、周囲が明るく発光素子５が消灯している状態では表示が見えづらく、周囲が暗く発光素子５が発光している場合にのみ表示を明確に視認できる、多様な照光が可能なスイッチ装置を得ることができるものである。
【００３２】
なお、以上の説明では、拡散部７Ｂの下面全面に不透光部７Ｄを形成し、この不透光部７Ｄに設けた切抜部７Ｅによって文字や記号、絵柄等の表示が照光される構成について説明したが、拡散部７Ｂ下面の不透光部を文字や記号、絵柄等の所定形状に形成し、全体が照光された透光部７Ａに黒色等の不透光部の表示が浮かぶ構成としても、本発明の実施は可能である。
【００３３】
また、拡散部７Ｂ上面の凹凸部７Ｃを鋸歯状に形成したものについて説明したが、図３の部分断面斜視図に示すように、複数の四角錐状の凹凸部７Ｇを前後左右に配列したものや、その他の形状でも、ある程度密な形状であれば実施が可能である。
【００３４】
さらに、操作体７の上下動によって電気的接離を行うスイッチ接点として、配線基板３上面に実装したプッシュスイッチ４を例として説明したが、可撓性シート下面の可動接点と配線基板上面の固定接点を対向させたものや、配線基板上面の固定接点上に略ドーム状で導電金属薄板製の可動接点を載置したもの等、様々なスイッチ接点においても本発明の実施は可能である。
【産業上の利用可能性】
【００３５】
本発明によるスイッチ装置は、多様な照光が可能なものを実現することができ、主に自動車の音響や空調機器等の操作用として有用である。
【図面の簡単な説明】
【００３６】
【図１】本発明の一実施の形態によるスイッチ装置の断面図
【図２】同部分断面斜視図
【図３】同他の実施の形態による部分断面斜視図
【図４】従来のスイッチ装置の断面図
【符号の説明】
【００３７】
１  ケース
１Ａ  中空筒部
３  配線基板
４  プッシュスイッチ
４Ａ  操作部
５  発光素子
７  操作体
７Ａ  透光部
７Ｂ  拡散部
７Ｃ、７Ｇ  凹凸部
７Ｄ  不透光部
７Ｅ  切抜部
７Ｆ  押圧部
【図１】
2005347193.tif 000003
【図２】
2005347193.tif 000004
【図３】
2005347193.tif 000005
【図４】
2005347193.tif 000006